(57)【特許請求の範囲】
【請求項１】
冷却コンパートメントの同じ冷却空間内でフラクションコレクター装置及び試料容器の両方を保持するように構成された冷却コンパートメントを備えるクロマトグラフィーラボシステムであって、冷却コンパートメントが、クロマトグラフィーからの画分がフラクションコレクター装置にしか収集されないように、フラクションコレクター装置を識別するように構成された識別装置を備える、クロマトグラフィーラボシステム。
【請求項２】
冷却コンパートメントが、フラクションコレクター装置用又は試料容器用の異なるタイプのホルダーを配置することのできる２以上のホルダー位置を含んでおり、識別装置は、ホルダーがフラクションコレクター装置を保持するように構成されているか否かを識別するように構成される、請求項１に記載のクロマトグラフィーラボシステム。
【請求項３】
冷却コンパートメントが、２以上のホルダー位置を備えるトレイを備える、請求項２に記載のクロマトグラフィーラボシステム。
【請求項４】
フラクションコレクター装置ホルダー又は試料容器ホルダーのいずれにも各ホルダー位置を用いることができ、クロマトグラフィーシステムの異なるランの間でこれを変更することができる、請求項２又は請求項３に記載のクロマトグラフィーラボシステム。
【請求項５】
少なくとも、フラクションコレクター装置を保持するように構成されたホルダーには、識別装置によって読み取られるコードが設けられている、請求項２乃至請求項４のいずれか１項に記載のクロマトグラフィーラボシステム。
【請求項６】
冷却コンパートメントが、試料管を冷却コンパートメントに入れることのできる１以上のポートを備える、請求項１乃至請求項５のいずれか１項に記載のクロマトグラフィーラボシステム。
【請求項７】
クロマトグラフィーラボシステムで試料を冷却する方法であって、
フラクションコレクター装置が格納されている冷却コンパートメントの冷却空間と同じ冷却空間に、試料容器を設置するステップと、
画分がフラクションコレクター装置にしか収集されないように、フラクションコレクター装置を識別するステップと
を含む方法。
【請求項８】
識別ステップが、冷却コンパートメント内に設けられたホルダーが、フラクションコレクター装置を保持するように構成されているか否かを識別するステップを含む、請求項７に記載の方法。
【請求項９】
試料容器は、冷却コンパートメント内に設けられた多数のホルダー位置のいずれかに配置することができる、請求項７又は請求項８に記載の方法。
【請求項１０】
フラクションコレクター装置に分取すると同時に、試料容器から試料を搬送するステップをさらに含む、請求項７乃至請求項９のいずれか１項に記載の方法。
【発明の詳細な説明】
【技術分野】
【０００１】
本発明は、冷却コンパートメントを備えるクロマトグラフィーラボシステム及びクロマトグラフィーラボシステムの方法に関する。
【背景技術】
【０００２】
クロマトグラフィーラボシステムでは、クロマトグラフィーカラムに供給される試料は、システムの外に位置することが多い。いくつかの適用では、試料を冷却する必要がある。これは、例えば、試料用に外部の冷蔵庫又は氷浴を用いることによって解決されることもある。これは、クロマトグラフィーラボシステムを複雑にしている。
【先行技術文献】
【特許文献】
【０００３】
【特許文献１】国際公開第２０１４／０３２２８５号パンフレット
【発明の概要】
【０００４】
本発明の１つの目的は、簡便かつコンパクトなクロマトグラフィーラボシステムを提供することである。
【０００５】
本発明の別の目的は、クロマトグラフィーラボシステム内で試料を冷却する、機能的な方法を提供することである。
【０００６】
これは、フラクションコレクター装置及び試料容器の両方を保持するように構成された冷却コンパートメントを備えるクロマトグラフィーラボシステムにおいて達成される。冷却コンパートメントは、クロマトグラフィーからの画分がフラクションコレクター装置にしか収集されないように、フラクションコレクター装置を識別するように構成された識別装置を備える。
【０００７】
これは、クロマトグラフィーラボシステムで試料を冷却する方法であって、
フラクションコレクター装置が格納されている冷却コンパートメントと同じ冷却コンパートメントに、試料容器を設置するステップと、
画分がフラクションコレクター装置にしか収集されないように、フラクションコレクター装置を識別するステップと
を含む方法によっても達成される。
【０００８】
これによって、画分に用いる冷却コンパートメントと同じ冷却コンパートメントで、混和する危険なく、試料を冷却することができる。
【０００９】
一実施形態では、冷却コンパートメントは、フラクションコレクター装置用又は試料容器用の異なるタイプのホルダーを配置することのできる２以上のホルダー位置を含んでおり、識別装置は、ホルダーがフラクションコレクター装置を保持するように構成されているか否かを識別するように構成される。
【００１０】
一実施形態では、冷却コンパートメントは、２以上のホルダー位置を備えるトレイを備えている。
【００１１】
一実施形態では、フラクションコレクター装置ホルダー又は試料容器ホルダーのいずれにも各ホルダー位置を使用することができ、これをクロマトグラフィーシステムの異なるランの間で変更することができる。これによって、異なる場合に冷却コンパートメント内の空間をどのように用いるかをユーザー自身が決定することができる、柔軟なシステムが提供される。
【００１２】
一実施形態では、少なくとも、フラクションコレクター装置を保持するように構成されたホルダーには、識別装置によって読み取られるコードが設けられている。
【００１３】
一実施形態では、冷却コンパートメントは、試料管を冷却コンパートメントに入れることのできる、１以上のポートを備えている。
【００１４】
一実施形態では、識別ステップは、冷却コンパートメント内に設けられたホルダーが、フラクションコレクター装置を保持するように構成されているか否かを識別するステップを含む。
【００１５】
一実施形態では、試料容器は、冷却コンパートメントに設けられた多数のホルダー位置のいずれかに配置することができる。
【００１６】
一実施形態では、方法は、フラクションコレクター装置に分取すると同時に、試料容器から試料を搬送するステップをさらに含む。
【図面の簡単な説明】
【００１７】
【図１】本発明の一実施形態による、クロマトグラフィーラボシステムの概略図である。
【図２】本発明の一実施形態による、冷却コンパートメントにホルダーを備える、トレイの概略図である。
【図３】本発明の一実施形態による、トレイ内の位置の概略図である。
【発明を実施するための形態】
【００１８】
フラクションコレクター装置は、従来、クロマトグラフィーラボシステムの冷却コンパートメントに設けられている。画分は、多くの場合、デディスペンサーヘッドによって、菅又はディープウェル内に自動的に収集される。デディスペンサーヘッドは、特定のパターンで自動的に移動し、異なる菅又はディープウェルに画分を収集する。冷却コンパートメントの温度は、回収される画分に最適な温度に依存して、適宜変えることができる。
【００１９】
図１は、本発明の一実施形態による、クロマトグラフィーラボシステム１０の概略図である。冷却コンパートメント１２は、システム内に設けられている。冷却コンパートメントに対する前壁１４は、図１に示されている。前壁１４は、本発明に従って、１以上のポート１６を備え、それを介して試料用の菅を設けることができる。
【００２０】
本発明によるクロマトグラフィーラボシステムは、フラクションコレクター装置及び試料容器の両方を保持するように構成された、冷却コンパートメントを備える。冷却コンパートメントは、フラクションコレクター装置を識別するように構成された識別装置を備え、クロマトグラフィーからの画分がフラクションコレクター装置のみに収集され、試料容器に収集されないようになっている。
【００２１】
図２は、本発明の一実施形態に従って冷却コンパートメントに備えられた、例示的なトレイ３１の概略図である。図３は、図２に示すようなトレイの底部の概略図である。トレイ３１は、多数のホルダー位置３３を備え、その中に、フラクションコレクター装置又は試料容器のどちらかを保持するように設計されているホルダー３５が位置するようになっている。或いは、冷却コンパートメント１２にはトレイが設けられず、代わりに冷却コンパートメントの床部又は底部にホルダー位置３３が直接設けられる。本明細書で、ホルダー３５は、フラクションコレクター装置ホルダー３５ａ及び試料容器ホルダー３５ｂと呼ばれる。本明細書で、ホルダー位置３３の数は６として示されているが、例えば２、３、４、５又は６以上等、任意の数が可能であろう。ホルダー３５は、例えば異なるサイズ及び数の管又はディープウェル、及び異なるサイズの試料容器等、異なるタイプのフラクションコレクター装置及び試料容器を保持するように、異なるように設計することができる。
【００２２】
冷却コンパートメントは、フラクションコレクター装置を識別するように構成された識別装置を備え、画分がフラクションコレクター装置のみに供給され、試料容器には供給されないようになっている。例えば、コードは、少なくともフラクションコレクター装置ホルダー３５ａに供給され得る。これらのコードは、これらのホルダーをフラクションコレクター装置ホルダーとして識別するべきであり、冷却コンパートメントに設けられた識別手段は、コードを読み取り、画分をこれらのホルダーに供給可能であることが分かるべきである。試料容器ホルダー３５ｂにコード等の識別が設けられていない場合、これらのホルダーは識別装置によってフラクションコレクター装置ホルダーとして識別され得ないため、そこには画分が供給されない。別の代替は、試料容器ホルダー３５ｂに、これらのホルダーをフラクションコレクター装置ホルダーとしてではなく試料容器ホルダーとして識別しているコードを備えることであろう。この場合も、結果的に、これらホルダーに画分は供給されない。
【００２３】
本発明の一実施形態では、ホルダー位置は、いかなるタイプのホルダーにも用いることができ、これをクロマトグラフィーシステムの各ランの間で変更することができる。これは、１つのランにおける画分の収集に６つすべての位置を使用することができ、別のランでは任意の数の位置を用いて、冷却を必要とする試料を保持することができることを意味する。
【００２４】
試料は、冷却コンパートメントの壁にポート１６を介して設けられた管を通して、試料容器からいつでも取り出すことができ、画分が採取されると同時に取り出すこともできる。フラクションコレクター装置への画分の分配は、通常、冷却コンパートメントに設けられたデディスペンサーヘッドを介して供給される。
【００２５】
画分の冷却及び試料の冷却の両方に用いることができるこの冷却コンパートメントは、より簡便かつコンパクトなクロマトグラフィーラボシステムを提供する。外部の冷蔵庫又は氷浴は回避される。トレイ内の異なるホルダー位置を用いる柔軟性は、柔軟なシステムを提供する。ユーザーは、異なるクロマトグラフィーランのそれぞれの異なる必要性に最適な方法で、冷却コンパートメント内の限られたスペースを利用することができる。
【図１】
0006671756.tif 000002
【図２】
0006671756.tif 000003
【図３】
0006671756.tif 000004